(57)【要約】【課題】貨幣の管理権限を第１の管理権限から第２の管理権限に移すにあたり、確定入力を必要と考える人にも、確定入力が不要であると考える人にも、どちらにも対応することができる貨幣処理機を提供する。【解決手段】貨幣処理機（１０）の制御部（１５）は、（ａ）一括搬送部（２９、３７）に貨幣が送られた後、引渡確定処理の指令が制御部（１５）に与えられたときに一括搬送部（２９、３７）から貨幣収納部（４０）に貨幣が引き渡されて貨幣の管理権限が第１の管理権限から第２の管理権限に変更されるような確定有りモードと、（ｂ）一括搬送部（２９、３７）に貨幣が送られた後、自動的に一括搬送部（２９、３７）から貨幣収納部（４０）に貨幣が引き渡されて貨幣の管理権限が第１の管理権限から第２の管理権限に自動的に変更されるような確定無しモードのうちいずれか一方のモードで貨幣の処理を行う。【選択図】図２
2010224609.tif 000002
【特許請求の範囲】
【請求項１】
貨幣の処理を行う貨幣処理機であって、
筐体と、
前記筐体内へ貨幣を投入するための貨幣投入口と、
前記筐体内に設けられ、前記貨幣投入口により前記筐体内に投入された貨幣の搬送を行う搬送部と、
前記搬送部に設置され、前記貨幣投入口により前記筐体内に投入され前記搬送部で搬送された貨幣の識別を行う識別部と、
前記筐体内に設けられ、貨幣の収納を行う貨幣収納部と、
前記搬送部に接続され、当該搬送部から送られた貨幣を前記筐体の外部に戻す貨幣返却部と、
前記筐体内に設けられ、前記識別部により識別された貨幣が送られる一括搬送部であって、当該一括搬送部に送られた貨幣を前記貨幣収納部または前記貨幣返却部に一括して搬送することが可能な一括搬送部と、
前記一括搬送部の制御を行う制御部と、
を備え、
前記貨幣投入口、前記搬送部、前記識別部、前記貨幣返却部および前記一括搬送部は第１の管理権限下にあり、前記貨幣収納部は第２の管理権限下にあり、前記一括搬送部から前記貨幣収納部に貨幣が引き渡されたときに当該貨幣の管理権限は前記第１の管理権限から前記第２の管理権限に変更されるようになっており、
前記制御部は、（ａ）前記一括搬送部に貨幣が送られた後、引渡確定処理の指令が前記制御部に与えられたときに前記一括搬送部から前記貨幣収納部に貨幣が引き渡されて貨幣の管理権限が前記第１の管理権限から前記第２の管理権限に変更されるような確定有りモードと、（ｂ）前記一括搬送部に貨幣が送られた後、自動的に前記一括搬送部から前記貨幣収納部に貨幣が引き渡されて貨幣の管理権限が前記第１の管理権限から前記第２の管理権限に自動的に変更されるような確定無しモードのうちいずれか一方のモードで前記貨幣の処理を行うことを特徴とする貨幣処理機。
【請求項２】
前記制御部は、前記確定無しモードにおいて、前記貨幣投入口に投入された貨幣が全て前記一括搬送部に送られたとき、あるいは前記一括搬送部における貨幣の量が所定の量に達したときに、前記一括搬送部から前記貨幣収納部に貨幣を自動的に引き渡して貨幣の管理権限を前記第１の管理権限から前記第２の管理権限に自動的に変更することを特徴とする請求項１記載の貨幣処理機。
【請求項３】
前記制御部において、前記確定有りモードおよび前記確定無しモードの切り換えを行うことができるようになっていることを特徴とする請求項１記載の貨幣処理機。
【請求項４】
前記制御部に指令を与えるための操作部を更に備え、
前記操作部により、前記確定有りモードおよび前記確定無しモードのうちいずれか一方のモードが選択され、前記制御部は、この選択されたモードで貨幣の処理を行うことを特徴とする請求項３記載の貨幣処理機。
【請求項５】
前記制御部に指令を与えるための操作部を更に備え、
前記操作部により、毎回の取引において前記確定有りモードおよび前記確定無しモードのうちいずれか一方のモードの選択が都度行われることを特徴とする請求項３記載の貨幣処理機。
【請求項６】
操作者の情報を特定するための操作者特定部を更に備え、
前記制御部において、前記操作者特定部により特定された操作者の情報に基づいて、前記確定有りモードおよび前記確定無しモードのうちいずれか一方のモードが選択されることを特徴とする請求項３記載の貨幣処理機。
【発明の詳細な説明】
【技術分野】
【０００１】
本発明は、店舗等において貨幣の回収業務を行う収集業者へ売上金等の貨幣を引き渡す引渡処理を行う貨幣処理機に関する。なお、本明細書における「貨幣」は紙幣であっても硬貨であってもよい。
【背景技術】
【０００２】
従来より、店舗等において売上金等の貨幣の入金処理、および回収業務を行う収集業者へ売上金等の貨幣を引き渡す引渡処理を行う貨幣処理機が知られている。このような貨幣処理機は、筐体と、筐体内へ貨幣を投入するための貨幣投入口と、貨幣投入口により筐体内に投入された貨幣の搬送を行う搬送部と、搬送部で搬送される貨幣の識別を行う識別部と、搬送部から送られた貨幣を筐体の外部に戻す貨幣返却部と、を備えている。また、貨幣処理機の筐体の内部には、貨幣の収納を行う貨幣収納部が設けられている。さらに、貨幣処理機の筐体の内部には、識別部により識別された貨幣が送られる一括搬送部が設けられており、この一括搬送部に送られた貨幣は貨幣収納部または貨幣返却部に一括して送られるようになっている。貨幣投入口、搬送部、識別部、貨幣返却部および一括搬送部は貨幣処理機の上部に位置しており、貨幣収納部は貨幣処理機の下部に位置している。
【０００３】
ここで、貨幣投入口、搬送部、識別部、貨幣返却部および一括搬送部は第１の管理権限下にあり、貨幣収納部は第２の管理権限下にある。具体的には、第１の管理権限は、貨幣処理機に対して入金処理や出金処理を行う店舗側にあり、第２の管理権限は、貨幣処理機から紙幣の回収を行う収集業者側にある。そして、一括搬送部から貨幣収納部に貨幣が引き渡されたときに貨幣の管理権限は第１の管理権限から第２の管理権限に変更されるようになっている。上述のように、第１の管理権限と第２の管理権限とが区別されているので、貨幣処理機の上部の貨幣に対する入金処理、出金処理、引渡処理等の操作や、上部の貨幣の入出金情報や在高データへのアクセスは店舗側の権限のある操作者のみが行うことができ、一方、貨幣処理機の下部の貨幣の回収は収集業者の収集特定者のみが行うことができる。
【先行技術文献】
【特許文献】
【０００４】
【特許文献１】特許第３３４０１７６号公報
【発明の概要】
【発明が解決しようとする課題】
【０００５】
特許文献１には、店舗等に設置され、様々な金種の貨幣を識別計数し、識別計数された貨幣を混合状態で一時的に保留し、一時的に保留された貨幣を一括してカセットに収納または外部に返却するような貨幣入金装置が開示されている。このような貨幣入金装置においては、一時的に保留された貨幣が一括してカセットに収納されることにより、店舗側に管理権限がある貨幣が収集業者へ引き渡されるようになっている。
【０００６】
特許文献１に開示される貨幣入金装置では、貨幣が一時的に保留された状態で、操作者が操作部の「確定ボタン」を押すと、一時的に保留された貨幣は一括してカセットに収納される。ここで、貨幣入金装置の内部への貨幣の投入は店舗側の係員が行うが、貨幣入金装置からカセットを取り出すことができるのは収集業者の収集特定者に限定されるようになっている。すなわち、操作者が操作部の「確定ボタン」を押すことにより、貨幣の管理権限が店舗側から収集業者側に移るようになっている。
【０００７】
このように、特許文献１に開示される貨幣入金装置では、貨幣が筐体の内部で一時的に保留された後、操作者が操作部の「確定ボタン」を押すまでの間に、筐体の内部に投入された貨幣の金額の確認等を確実に行ったり、あるいはリセットボタンを押すことにより貨幣を筐体の外部に返却したりすることができる。しかしながら、筐体の内部で一時的に保留された全ての貨幣を必ず収集業者側に引き渡す場合には、上述のような貨幣の金額の確認や貨幣の返却は不要となる。この場合、操作者による「確定ボタン」の押下等の確定入力を待つようにすると、操作者による操作回数が増えたり、確定入力のために操作者が貨幣の一時保留終了まで待つ必要があったりするという問題がある。また、操作者による「確定ボタン」の押下等の確定入力を待つようにすると、操作者が「確定ボタン」の押下を忘れた場合には、貨幣の処理が途中で止まったままで貨幣入金装置が放置されるおそれがある。このため、貨幣の管理権限を店舗側から収集業者側に移す際に、確定入力は不要であると考える人もいる。
【０００８】
本発明はこのような点を考慮してなされたものであり、貨幣の管理権限を第１の管理権限（例えば、店舗側）から第２の管理権限（例えば、収集業者側）に移すにあたり、確定入力を必要と考える人にも、確定入力が不要であると考える人にも、どちらにも対応することができる貨幣処理機を提供することを目的とする。
【課題を解決するための手段】
【０００９】
本発明は、貨幣の処理を行う貨幣処理機であって、筐体と、前記筐体内へ貨幣を投入するための貨幣投入口と、前記筐体内に設けられ、前記貨幣投入口により前記筐体内に投入された貨幣の搬送を行う搬送部と、前記搬送部に設置され、前記貨幣投入口により前記筐体内に投入され前記搬送部で搬送された貨幣の識別を行う識別部と、前記筐体内に設けられ、貨幣の収納を行う貨幣収納部と、前記搬送部に接続され、当該搬送部から送られた貨幣を前記筐体の外部に戻す貨幣返却部と、前記筐体内に設けられ、前記識別部により識別された貨幣が送られる一括搬送部であって、当該一括搬送部に送られた貨幣を前記貨幣収納部または前記貨幣返却部に一括して搬送することが可能な一括搬送部と、前記一括搬送部の制御を行う制御部と、を備え、前記貨幣投入口、前記搬送部、前記識別部、前記貨幣返却部および前記一括搬送部は第１の管理権限下にあり、前記貨幣収納部は第２の管理権限下にあり、前記一括搬送部から前記貨幣収納部に貨幣が引き渡されたときに当該貨幣の管理権限は前記第１の管理権限から前記第２の管理権限に変更されるようになっており、前記制御部は、（ａ）前記一括搬送部に貨幣が送られた後、引渡確定処理の指令が前記制御部に与えられたときに前記一括搬送部から前記貨幣収納部に貨幣が引き渡されて貨幣の管理権限が前記第１の管理権限から前記第２の管理権限に変更されるような確定有りモードと、（ｂ）前記一括搬送部に貨幣が送られた後、自動的に前記一括搬送部から前記貨幣収納部に貨幣が引き渡されて貨幣の管理権限が前記第１の管理権限から前記第２の管理権限に自動的に変更されるような確定無しモードのうちいずれか一方のモードで前記貨幣の処理を行うことを特徴とする。
【００１０】
本発明の貨幣処理機によれば、（ａ）一括搬送部に貨幣が送られた後、引渡確定処理の指令が制御部に与えられたときに一括搬送部から貨幣収納部に貨幣が引き渡されて貨幣の管理権限が第１の管理権限から第２の管理権限に変更されるような確定有りモードと、（ｂ）一括搬送部に貨幣が送られた後、自動的に一括搬送部から貨幣収納部に貨幣が引き渡されて貨幣の管理権限が第１の管理権限から第２の管理権限に自動的に変更されるような確定無しモードのうちいずれか一方のモードで貨幣の処理を行うようになっている。このように、引渡確定処理の指令が制御部に与えられたときに貨幣の管理権限が第１の管理権限から第２の管理権限に変更されるような確定有りモードと、一括搬送部に貨幣が送られた後、貨幣の管理権限が第１の管理権限から第２の管理権限に自動的に変更されるような確定無しモードのうちいずれか一方のモードを選択することができるようになっているので、貨幣の管理権限を第１の管理権限（例えば、店舗側）から第２の管理権限（例えば、収集業者側）に移すにあたり、確定入力を必要と考える人にも、確定入力が不要であると考える人にも、どちらにも対応することができる。
【００１１】
本発明の貨幣処理機においては、前記制御部は、前記確定無しモードにおいて、前記貨幣投入口に投入された貨幣が全て前記一括搬送部に送られたとき、あるいは前記一括搬送部における貨幣の量が所定の量に達したときに、前記一括搬送部から前記貨幣収納部に貨幣を自動的に引き渡して貨幣の管理権限を前記第１の管理権限から前記第２の管理権限に自動的に変更することが好ましい。
【００１２】
本発明の貨幣処理機においては、前記制御部において、前記確定有りモードおよび前記確定無しモードの切り換えを行うことができるようになっていることが好ましい。
【００１３】
この際に、前記制御部に指令を与えるための操作部を更に備え、前記操作部により、前記確定有りモードおよび前記確定無しモードのうちいずれか一方のモードが選択され、前記制御部は、この選択されたモードで貨幣の処理を行うことがより好ましい。
【００１４】
あるいは、前記制御部に指令を与えるための操作部を更に備え、前記操作部により、毎回の取引において前記確定有りモードおよび前記確定無しモードのうちいずれか一方のモードの選択が都度行われることがより好ましい。
【００１５】
また、操作者の情報を特定するための操作者特定部を更に備え、前記制御部において、前記操作者特定部により特定された操作者の情報に基づいて、前記確定有りモードおよび前記確定無しモードのうちいずれか一方のモードが選択されることがより好ましい。
【発明の効果】
【００１６】
本発明の貨幣処理機によれば、貨幣の管理権限を第１の管理権限（例えば、店舗側）から第２の管理権限（例えば、収集業者側）に移すにあたり、確定入力を必要と考える人にも、確定入力が不要であると考える人にも、どちらにも対応することができる。
【図面の簡単な説明】
【００１７】
【図１Ａ】本発明の一の実施の形態における貨幣処理システムの構成を示すブロック図である。
【図１Ｂ】本発明の一の実施の形態における貨幣処理システムの他の構成を示すブロック図である。
【図２】図１Ａや図１Ｂに示す貨幣処理システムにおける貨幣処理機の外観を示す斜視図である。
【図３Ａ】図２に示す貨幣処理機における紙幣処理装置の構成の概略を示す概略構成図である。
【図３Ｂ】図２に示す貨幣処理機における硬貨処理装置の構成の概略を示す概略構成図である。
【図４】図２に示す貨幣処理機における制御ブロック図である。
【図５Ａ】図３Ａに示す紙幣処理装置における紙幣の引渡処理の一連の動作を示す説明図である。
【図５Ｂ】図３Ａに示す紙幣処理装置における紙幣の引渡処理の一連の動作を示す説明図である。
【図５Ｃ】図３Ａに示す紙幣処理装置における紙幣の引渡処理の一連の動作を示す説明図である。
【図５Ｄ】図３Ａに示す紙幣処理装置における紙幣の引渡処理の一連の動作を示す説明図である。
【図６Ａ】図３Ｂに示す硬貨処理装置における硬貨の引渡処理の一連の動作を示す説明図である。
【図６Ｂ】図３Ｂに示す硬貨処理装置における硬貨の引渡処理の一連の動作を示す説明図である。
【図６Ｃ】図３Ｂに示す硬貨処理装置における硬貨の引渡処理の一連の動作を示す説明図である。
【図６Ｄ】図３Ｂに示す硬貨処理装置における硬貨の引渡処理の一連の動作を示す説明図である。
【図６Ｅ】図３Ｂに示す硬貨処理装置における硬貨の引渡処理の一連の動作を示す説明図である。
【発明を実施するための形態】
【００１８】
以下、図面を参照して本発明の一の実施の形態における貨幣処理機およびこの貨幣処理機を備えた貨幣処理システムについて説明する。
【００１９】
本実施の形態に係る貨幣処理機は、硬貨および紙幣からなる貨幣の引渡処理、計数処理、締め処理、締め連動引渡処理、警備回収処理等を行う機能を有するものである。図１乃至図６は、本実施の形態における貨幣処理機およびこの貨幣処理機を備えた貨幣処理システムを示す図である。このうち、図１Ａは、本実施の形態の貨幣処理システムの構成を示すブロック図であり、図１Ｂは、本実施の形態における貨幣処理システムの他の構成を示すブロック図である。また、図２は、図１Ａや図１Ｂに示す貨幣処理システムにおける貨幣処理機の外観を示す斜視図である。また、図３Ａは、図２に示す貨幣処理機における紙幣処理装置の構成の概略を示す概略構成図であり、図３Ｂは、図２に示す貨幣処理機における硬貨処理装置の構成の概略を示す概略構成図である。また、図４は、図２に示す貨幣処理機における制御ブロック図である。また、図５および図６は、図２に示す貨幣処理機の紙幣処理装置または硬貨処理装置における紙幣や硬貨の引渡処理の一連の動作を示す説明図である。
【００２０】
図１Ａに示すように、本実施の形態の貨幣処理システムは、店舗内に設置された貨幣処理機１０と、この貨幣処理機１０からそれぞれ隔離して店舗外に設けられた現金センター１３およびデータセンター１４とを備えている。現金センター１３およびデータセンター１４には、それぞれ中央制御装置が設置されている。以下の記載において、現金センター１３やデータセンター１４とは、それぞれ中央制御装置を意味している。貨幣処理機１０にはコントローラ１２が設けられており、このコントローラ１２は現金センター１３に有線または無線により通信接続されており、現金センター１３に対して信号の送受信を行うようになっている。このことにより、コントローラ１２を介して現金センター１３から貨幣処理機１０に対して遠隔操作を行うことができるようになっている。ここで、コントローラ１２は貨幣処理機１０に対して例えばＬＡＮ等により接続される通信制御装置や端末、もしくは、貨幣処理機１０に内蔵された通信部等である。
【００２１】
また、図１Ａに示すように、現金センター１３とデータセンター１４とは有線または無線により互いに通信接続されており、現金センター１３とデータセンター１４との間で様々なデータの送受信が行われるようになっている。このため、貨幣処理機１０からコントローラ１２を介して現金センター１３に送られた、貨幣処理機１０における紙幣や硬貨等の貨幣の処理状況に係る情報はデータセンター１４にも送られるようになっている。本発明においては、現金センター１３およびデータセンター１４にそれぞれ中央制御装置が設けられている。しかしながら、中央制御装置はこのような例に限定されることはなく、例えば現金センター１３のみ、あるいはデータセンター１４のみに設けられていてもよい。
【００２２】
本実施の形態の貨幣処理システムの構成は図１Ａに示すようなものに限定されることはなく、代わりに図１Ｂに示すようなものとすることもできる。図１Ｂに示すような貨幣処理システムは、貨幣処理機１０と、この貨幣処理機１０からそれぞれ隔離して店舗外に設けられた現金センター１３およびデータセンター１４とを備えている点では図１Ａに示す貨幣処理システムと略同一の構成となっているが、この貨幣処理機１０に設けられるコントローラ１７は機能の拡張性の高いコントローラとなっている。
【００２３】
コントローラ１７は、現金センター１３およびデータセンター１４にそれぞれ有線または無線により通信接続されており、現金センター１３およびデータセンター１４に対してそれぞれ信号の送受信を行うようになっている。
【００２４】
図１Ｂに示す貨幣処理システムにおけるコントローラ１７は機能の追加が可能であり、プリンタ１７ａ、カードリーダ１７ｂ、スキャナー１７ｃをそれぞれ接続することができるようになっている。プリンタ１７ａは、貨幣処理機１０における紙幣や硬貨等の貨幣の処理状況に係る情報等を印刷するよう構成されている。また、カードリーダ１７ｂは、貨幣処理機１０に備えているカードリーダに加えて接続でき、操作者が携帯しているＩＤカードのＩＤ情報を読み取るよう構成されている。そして、コントローラ１７に入力された操作者のＩＤ情報に係る信号により、操作者の識別が行われるようになっている。また、スキャナー１７ｃは、紙幣の記番号やバーコード等を撮像するよう構成されている。また、このコントローラ１７はルーターとしての機能も有している。
【００２５】
また、コントローラ１７には操作者のパーソナルコンピュータ１７ｄを接続することも可能となっている。この場合、コントローラ１７に接続されたパーソナルコンピュータ１７ｄにより操作者が貨幣処理機１０の操作を行うことができることとなる。また、このパーソナルコンピュータ１７ｄは、後述するデータセンター１４とも送受信可能とすることができるようになっている。
【００２６】
次に、図１Ａや図１Ｂに示す貨幣処理機１０の構成の詳細について図２乃至図４を用いて説明する。
【００２７】
図２に示すように、貨幣処理機１０は略直方体形状の筐体１１を備えており、この筐体１１には、貨幣処理機１０を前方から見て右側に配置された紙幣処理装置２０と、左側に配置された硬貨処理装置３０とがそれぞれ左右に並ぶよう設けられている。また、貨幣処理機１０の筐体１１において、紙幣処理装置２０および硬貨処理装置３０の下方には、硬貨および紙幣をそれぞれ収納する貨幣収納部４０が設けられている。ここで、貨幣処理機１０のうち、紙幣処理装置２０および硬貨処理装置３０は店舗側の管理権限下にあり、貨幣収納部４０は収集業者側の管理権限下にある。以下、紙幣処理装置２０、硬貨処理装置３０および貨幣収納部４０の各構成要素について詳述する。
【００２８】
まず、貨幣収納部４０の構成について図２乃至図４を用いて説明する。図２等に示すように、貨幣処理機１０の筐体１１の下部に貨幣収納部４０が設けられている。この貨幣収納部４０は、２つの紙幣収納カセット４１ａ、４１ｂおよび２つの硬貨収納カセット４２ａ、４２ｂを有している。ここで、図３Ａに示すように、紙幣収納カセット４１ａ、４１ｂは紙幣処理装置２０に対応して設けられており、一方、図３Ｂに示すように、硬貨収納カセット４２ａ、４２ｂは硬貨処理装置３０に対応して設けられている。
【００２９】
紙幣収納カセット４１ａ、４１ｂには、紙幣処理装置２０の一括搬送部２９（後述）に搬送された紙幣がこの一括搬送部２９から送られるようになっている。また、硬貨収納カセット４２ａ、４２ｂには、硬貨処理装置３０の一括搬送部３７（後述）に搬送された硬貨が送られるようになっている。なお、硬貨収納カセット４２ａには、シュート３５ｃ（後述）から一括搬送部３７に送られた硬貨が当該一括搬送部３７を通過してそのまま送られる場合もある。
【００３０】
そして、例えば売上金の回収業務を行う収集特定者によって、貨幣収納部４０の各カセット４１ａ、４１ｂ、４２ａ、４２ｂが筐体１１の前面側へ引き出され、この収集特定者が各カセット４１ａ、４１ｂ、４２ａ、４２ｂ自体を回収するようになっている。より具体的には、各紙幣収納カセット４１ａ、４１ｂには、それぞれ規制ユニット４１ｃ、４１ｄが設けられている。そして、規制ユニット４１ｃは、筐体１１からの紙幣収納カセット４１ａの取り出しを規制するようになっており、規制ユニット４１ｄは、筐体１１からの紙幣収納カセット４１ｂの取り出しを規制するようになっている。また、硬貨収納カセット４２ａ、４２ｂには、それぞれ規制ユニット４２ｃ、４２ｄが設けられている。そして、規制ユニット４２ｃは、筐体１１からの硬貨収納カセット４２ａの取り出しを規制するようになっており、規制ユニット４２ｄは、筐体１１からの硬貨収納カセット４２ｂの取り出しを規制するようになっている。各カセット４１ａ、４１ｂ、４２ａ、４２ｂは、少なくとも筐体１１から引き出されたときと、各規制ユニット４１ｃ、４１ｄ、４２ｃ、４２ｄから取り出されたときは、中の貨幣が取り出し不可能な状態に入口等がロックされるようになっている。
【００３１】
規制ユニット４１ｃ、４１ｄや規制ユニット４２ｃ、４２ｄとしては、例えばロック機構からなり、ＩＤカードによって収集特定者を確認してその収集特定者に権限があるか否かを現金センター１３やデータセンター１４に照会してロック機構の解除を行うものが挙げられる。あるいは、各規制ユニット４１ｃ、４１ｄ、４２ｃ、４２ｄのロック機構は施錠されており、各収集特定者は管理権限に応じた鍵を持ち、特定の規制ユニットのみを解錠してロック機構の解除を行うことができるようになっていてもよい。また、各カセット４１ａ、４１ｂ、４２ａ、４２ｂを回収する収集特定者を区別する必要がなければ、各カセット４１ａ、４１ｂ、４２ａ、４２ｂの規制ユニット４１ｃ、４１ｄ、４２ｃ、４２ｄの代わりに、貨幣収納部４０に設けた扉の開閉や各カセット４１ａ、４１ｂ、４２ａ、４２ｂを収容した引き出し部の引き出し動作を規制してもよい。
【００３２】
次に、紙幣処理装置２０の構成について図２および図３Ａを用いて説明する。図２および図３Ａに示すように、紙幣処理装置２０は、当該紙幣処理装置２０内への紙幣の取り込みを行う紙幣投入口２１と、紙幣処理装置２０内に取り込まれた紙幣のうち偽札や識別不能な紙幣等のリジェクトを行う紙幣リジェクト口２２と、紙幣処理装置２０内に取り込まれた紙幣のうち貨幣収納部４０に収納されない紙幣を紙幣処理装置２０の外部に返却する紙幣返却口２３とを備えている。また、図３Ａに示すように、紙幣処理装置２０の内部には、紙幣投入口２１に投入された紙幣を紙幣処理装置２０内で搬送する搬送部２５が設けられている。
【００３３】
紙幣投入口２１は、操作者により１または束状態の複数の紙幣が短手方向に一括して投入されるよう構成されている。図２に示すように、この紙幣投入口２１には手動で開閉可能な紙幣投入口カバー２８が配設されており、紙幣投入口カバー２８が開いたときのみに操作者は紙幣を紙幣投入口２１に投入することができるようになっている。図３Ａに示すように、紙幣投入口２１は搬送部２５に接続されており、紙幣投入口２１に投入された１または束状態の複数の紙幣は、１枚ずつ繰り出されて搬送部２５で搬送されるようになっている。
【００３４】
紙幣リジェクト口２２は、図３Ａに示すように搬送部２５に接続されており、紙幣投入口２１により紙幣処理装置２０内に取り込まれた紙幣のうち後述する識別部２６によりリジェクトすべき紙幣であると識別された紙幣等が搬送部２５から送られるようになっている。操作者はこの紙幣リジェクト口２２に送られた紙幣を取り出すことができるようになっている。紙幣リジェクト口２２にはカバー（図示せず）が設けられており、待機時にはこのカバーは開状態となっており、処理時にはこのカバーは閉状態となる。
【００３５】
紙幣返却口２３には、図３Ａに示すように、搬送部２５に接続された一括搬送部２９が設けられている。この一括搬送部２９には、搬送部２５から紙幣が送られて集積されるようになっている。また、紙幣返却口２３には開閉可能な扉２４が設けられている。一括搬送部２９にある紙幣を返却する場合には、一括搬送部２９の装置前面側の壁面が開いて、操作者は扉２４から紙幣を取り出すことができるようになっている。扉２４は、紙幣が取れる状態になれば、自動的に開くようになっている。なお、後述のように、一括搬送部２９内に保留された紙幣は、操作者により紙幣返却口２３から取り出される代わりに、貨幣収納部４０内に配置された紙幣収納カセット４１ａ、４１ｂに送られる場合もある。
【００３６】
搬送部２５は、紙幣処理装置２０の内部で紙幣を１枚ずつ順次搬送する機能を有している。具体的には、搬送部２５において、紙幣は一対のベルト間に挟まれて搬送されるようになっている。また、図３Ａに示すように、搬送部２５に設けられた搬送路は様々な箇所で分岐するようになっており、この搬送路が分岐する箇所には分岐部材（図示せず）が設けられている。各分岐部材は例えば分岐爪からなり、これらの分岐部材はそれぞれ後述する制御部１５により制御されるようになっている。図３Ａに示すように、搬送部２５は、紙幣投入口２１に投入された紙幣を紙幣リジェクト口２２または一括搬送部２９に搬送するよう構成されている。
【００３７】
図３Ａに示すように、搬送部２５には、当該搬送部２５で搬送される紙幣の識別を１枚ずつ行う識別部２６が設置されている。この識別部２６は、搬送部２５で搬送される紙幣の金種、真偽、正損等を識別するようになっている。具体的には、識別部２６は、磁気センサや光学センサを有し、これらのセンサにより紙幣の金種や真偽等を１枚ずつ識別するようになっている。識別部２６による紙幣の識別結果は後述する制御部１５に送られるようになっている。
【００３８】
一括搬送部２９は、前述のように紙幣返却口２３に設けられており、図３Ａに示すように搬送部２５に接続されている。この一括搬送部２９には、紙幣投入口２１に投入された紙幣が搬送部２５により送られるようになっており、搬送部２５から送られた紙幣を束状態で複数保留することができるようになっている。ここで、操作者により扉２４が開かれることによって操作者は一括搬送部２９内に収納された紙幣を取り出すことができるようになっている。また、一括搬送部２９の底面には開閉が可能な底板が設けられ、紙幣は底板に載せられるようになっている。ここで、図３Ａに示すように、一括搬送部２９は、紙幣収納カセット４１ａの上方の位置（図３Ａにおける実線の位置）と、紙幣収納カセット４１ｂの上方の位置（図３Ａにおける二点鎖線の位置）との間で往復移動するようになっている。そして、一括搬送部２９に一時的に保留された紙幣を紙幣収納カセット４１ａに一括して収納させる際には、一括搬送部２９を紙幣収納カセット４１ａの上方の位置に移動させ、一方、一括搬送部２９に一時的に保留された紙幣を紙幣収納カセット４１ｂに一括して収納させる際には、一括搬送部２９を紙幣収納カセット４１ｂの上方の位置に移動させるようになっている。
【００３９】
一括搬送部２９にある紙幣を紙幣収納カセット４１ａ、４１ｂに収納させる動作について以下に説明する。ここでは、一括搬送部２９にある紙幣を紙幣収納カセット４１ａに収納させる動作について説明するが、一括搬送部２９にある紙幣を紙幣収納カセット４１ｂに収納させる動作についても同様である。一括搬送部２９にある紙幣を紙幣収納カセット４１ａに収納させる際に、まず、この紙幣収納カセット４１ａに設けられたステージが上昇し、ステージ上の紙幣の上面が一括搬送部２９の底板のすぐ下まで移動する。そして、底板が水平に移動して開き、一括搬送部２９内の紙幣はステージ上の紙幣の上に落下する。そして、ステージ上の紙幣を上から押さえ部材で押さえた状態で、ステージが下降し、紙幣を紙幣収納カセット４１ａへ収納するようになっている。
【００４０】
次に、硬貨処理装置３０の構成について図２および図３Ｂを用いて説明する。図２および図３Ｂに示すように、硬貨処理装置３０は、当該硬貨処理装置３０内への硬貨の取り込みを行う硬貨投入口３１と、硬貨処理装置３０内に取り込まれた硬貨のうち後述する識別部３５ａにより識別不能な硬貨等のリジェクト硬貨の返却を行うとともに硬貨処理装置３０内に取り込まれた硬貨のうち貨幣収納部４０に収納されない硬貨を硬貨処理装置３０の外部に返却する硬貨返却口３３とを備えている。硬貨投入口３１には、開閉可能な硬貨投入口カバー３１ａが配置されている。また、硬貨返却口３３には、硬貨返却ボックス３３ａが引き出し可能に配置されている。
【００４１】
硬貨処理装置３０の内部には、硬貨投入口３１から投入された硬貨を受け入れて貯留し、硬貨を１枚ずつ繰り出すとともに、下部を開放して変形硬貨や異物等の落下放出を可能とした貯留繰出部３４が設けられている。この貯留繰出部３４の下部には開閉機構（図示せず）が設けられており、この開閉機構が開状態となったときに、貯留繰出部３４内の変形硬貨や異物等は下方に落下放出されるようになっている。
【００４２】
また、硬貨処理装置３０の内部には、貯留繰出部３４から繰り出された硬貨を１枚ずつ搬送し、搬送中に識別部３５ａで硬貨の金種、真偽、正損等を識別し、その識別結果に基づき硬貨を搬送先別に分岐させる搬送部３５が設けられている。また、搬送部３５は、識別不能な硬貨等のリジェクト硬貨等を硬貨返却ボックス３３ａに返却するようになっている。より具体的には、搬送部３５は、貯留繰出部３４に接続された上流側端部から筐体１１の奥側に向かって（図３Ｂの右方に向かって）延設されるとともに、筐体１１の奥側で上側に折り返されて筐体１１の前側に向かって（図３Ｂの左方に向かって）延設され、硬貨返却ボックス３３ａ内に硬貨を落下可能に配設されている。
【００４３】
搬送部３５における、識別部３５ａよりも搬送方向下流側の途中位置には、識別部３５ａで正規の硬貨であると識別された硬貨を搬送部３５から分岐させる分岐部材３５ｂが設けられている。この分岐部材３５ｂは、識別部３５ａによる硬貨の識別結果に基づいて搬送部３５の搬送通路内に進退し、後述する一括搬送部３７に搬送される硬貨を搬送部３５から分岐させるとともに、リジェクトする硬貨をそのまま搬送部３５で搬送させる。分岐部材３５ｂの位置には、当該分岐部材３５ｂで分岐された硬貨を受け入れて下方へ案内するシュート３５ｃの上端部が配置されている。シュート３５ｃの下端部は、第１の収納位置ａ（後述）に位置する一括搬送部３７の上方に配置されている。
【００４４】
図３Ｂに示すように、硬貨処理装置３０の内部には、搬送部３５から送り出された硬貨を一時的に保留することが可能な一括搬送部３７が設けられている。この一括搬送部３７は、上下方向に開口された枠状に形成されており、筐体１１内の貯留繰出部３４の下側に配置されるとともに、駆動機構３７ｂによって筐体１１の奥行き方向に往復移動するようになっている（すなわち、一括搬送部３７は図３Ｂの左右方向に往復移動するようになっている）。なお、一括搬送部３７は、貯留繰出部３４の硬貨収納容量より多い硬貨を収納することができるようになっている。
【００４５】
一括搬送部３７の停止位置は、硬貨収納カセット４２ａの上方の位置である第１の収納位置ａ、貯留繰出部３４の下方の位置である排除位置ｂ、硬貨返却ボックス３３ａの上方の位置である返却位置ｃ、および硬貨収納カセット４２ｂの上方の位置である第２の収納位置ｄの４位置となっている（図３Ｂ参照）。一括搬送部３７の各位置ａ〜ｄは、位置検知手段３７ｃによって検知されるようになっている。一括搬送部３７は第１の収納位置ａを定位置としている。
【００４６】
また、一括搬送部３７の下側には、この一括搬送部３７の下面を閉塞する底板３７ａが配設されている。この底板３７ａは略水平方向に延びており、駆動機構３７ｆによって筐体１１の奥行き方向に往復移動するようになっている（すなわち、底板３７ａは図３Ｂの左右方向に往復移動するようになっている）。底板３７ａの停止位置は、第１の収納位置ａにある一括搬送部３７の真下の位置である第１の位置ｍ、および第２の収納位置ｄにある一括搬送部３７の真下の位置である第２の位置ｎの２位置となっている（図３Ｂ参照）。なお、底板３７ａは図３Ｂに示す第１の位置ｍからさらに左方に移動することができるようになっていてもよい。底板３７ａの各位置ｍ、ｎは、位置検知手段３７ｇによって検知されるようになっている。底板３７ａは第１の位置ｍを定位置としている。
【００４７】
また、第１の収納位置ａに位置する一括搬送部３７の下側には、この一括搬送部３７内の硬貨を硬貨収納カセット４２ａに送るための硬貨収納シュート３７ｄが設けられている。また、第２の収納位置ｄに位置する一括搬送部３７の下側には、この一括搬送部３７内の硬貨を硬貨収納カセット４２ｂに送るための硬貨収納シュート３７ｅが設けられている。
【００４８】
一括搬送部３７が定位置（第１の収納位置ａ）にあるとともに、底板３７ａが定位置（第１の位置ｍ）にある場合には、図３Ｂに示すように、一括搬送部３７は、搬送部３５からシュート３５ｃを介して送り出されてくる硬貨を受け取り、この受け取った硬貨を一時的に保留するようになっている。一方、一括搬送部３７が定位置（第１の収納位置ａ）にあるとともに、底板３７ａが第２の位置ｎにある場合には、搬送部３５からシュート３５ｃを介して送り出されてくる硬貨は、一括搬送部３７を通過して（すなわち、一括搬送部３７で一時的に保留されることなく）そのまま硬貨収納シュート３７ｄに送られ、最終的に硬貨収納カセット４２ａに送られることとなる。
【００４９】
このように、一括搬送部３７が定位置（第１の収納位置ａ）にあるとともに、底板３７ａが第２の位置ｎにある場合には、搬送部３５からシュート３５ｃを介して一括搬送部３７に送り出されてくる硬貨を硬貨収納カセット４２ａにダイレクト入金（一時的な保留を行わないような入金）することができる。
【００５０】
一括搬送部３７が排除位置ｂにあるとともに、底板３７ａが定位置（第１の位置ｍ）にある場合には、この一括搬送部３７は、貯留繰出部３４から落下放出される硬貨を受け入れる。この際に、一括搬送部３７が底板３７ａから部分的に外れることにより一括搬送部３７の底面が部分的に開口され、この一括搬送部３７に受け入れられた硬貨の一部は下方にある硬貨返却ボックス３３ａに落下放出されるようになっている。さらに、落下放出終了後に、一括搬送部３７が返却位置ｃに移動し、全ての硬貨を硬貨返却ボックス３３ａに落下放出して返却する。
【００５１】
一括搬送部３７が第１の収納位置ａから返却位置ｃに移動した場合には、一括搬送部３７が底板３７ａから外れることにより一括搬送部３７の底面が開口され、この一括搬送部３７に搬送された硬貨は下方にある硬貨返却ボックス３３ａに落下することとなる。
【００５２】
また、底板３７ａが定位置（第１の位置ｍ）にとどまったまま、一括搬送部３７が第１の収納位置ａから第２の収納位置ｄに移動した場合には、一括搬送部３７が底板３７ａから外れることにより一括搬送部３７の底面が開口され、この一括搬送部３７に搬送された硬貨は下方にある硬貨収納シュート３７ｅに落下し、最終的に硬貨収納カセット４２ｂに送られることとなる。
【００５３】
次に、貨幣処理機１０に設けられた他の様々な機構について説明する。図２に示すように、貨幣処理機１０の筐体１１の上面には、操作者が貨幣処理機１０の制御部１５（後述）に対して様々な指令を行うための操作部４５、および貨幣処理機１０における貨幣の処理内容等を表示する表示部４４が設けられている。ここで、操作部４５は、例えばテンキーや確定キー、スタートキー、取消キーならびにリセットキーを有しており、操作者が各キーを押すことにより貨幣処理機１０の制御部１５に対して様々な指令を行うことができるようになっている。表示部４４は、例えば液晶ディスプレイ（ＬＣＤ）から構成されている。また、貨幣処理機１０の筐体１１の上面には、貨幣処理機１０における貨幣の処理内容等を印字するプリンタ４３が設けられている。
【００５４】
また、筐体１１の前面には、操作者の操作権限の確認を行うためのカードリーダ４６が設けられている。カードリーダ４６は、操作者が携帯するＩＤカードのＩＤ情報の読み取りを行うようになっている。
【００５５】
次に、貨幣処理機１０における各構成要素の制御を行う制御部１５について図４を用いて説明する。制御部１５は貨幣処理機１０の筐体１１内に設置されている。
【００５６】
図４に示すように、制御部１５には、紙幣処理装置２０の各構成要素（例えば、搬送部２５、識別部２６、扉２４、一括搬送部２９等）、硬貨処理装置３０の各構成要素（例えば、貯留繰出部３４、搬送部３５、識別部３５ａ、一括搬送部３７の駆動機構３７ｂ、一括搬送部３７の位置検知手段３７ｃ、底板３７ａの駆動機構３７ｆ、底板３７ａの位置検知手段３７ｇ等）、表示部４４、操作部４５、プリンタ４３、カードリーダ４６等が接続されている。また、制御部１５にはインターフェースを介してコントローラ１２（１７）が接続されている。
【００５７】
制御部１５には、紙幣処理装置２０の識別部２６による紙幣の識別結果や、硬貨処理装置３０の識別部３５ａによる硬貨の識別結果、位置検知手段３７ｃによる一括搬送部３７の位置情報、位置検知手段３７ｇによる底板３７ａの位置情報等が送られるようになっている。また、制御部１５には、カードリーダ４６により読み取られた操作者のＩＤカードのＩＤ情報が送られるようになっている。また、制御部１５は、紙幣処理装置２０や硬貨処理装置３０の各構成要素を制御したり、表示部４４、操作部４５、プリンタ４３を制御したりするようになっている。
【００５８】
コントローラ１２（１７）は、貨幣処理機１０の紙幣処理装置２０、硬貨処理装置３０および貨幣収納部４０のそれぞれに対して信号の送受信を行うようになっている。このような信号の送受信は制御部１５を介して行われる。
【００５９】
中央制御装置を構成する現金センター１３またはデータセンター１４は、コントローラ１２（１７）を介して、貨幣処理機１０に対して当該貨幣処理機１０の各種処理に係る指令の信号を送信したり、貨幣処理機１０から当該貨幣処理機１０における貨幣の処理状況に係る情報の信号を受信したりするようになっている。
【００６０】
次に、このような構成からなる貨幣処理機１０の動作について説明する。
【００６１】
上述のような貨幣処理機１０の動作としては、インターフェース確認モード、運用モードおよび保守メンテナンスモードの３つのモードがある。操作者は、操作部４５により、インターフェース確認モード、運用モードあるいは保守メンテナンスモードを選択することができる。
【００６２】
インターフェース確認モードとは、貨幣処理機１０の初期状態において、すなわち貨幣処理機１０が導入された際に、インターフェースにより貨幣処理機１０が上位装置等に通信接続されるか否かを確認するためのモードである。このようなインターフェース確認モードにおいて、インターフェースにより貨幣処理機１０が上位装置等に通信接続されたときには、上位装置等から貨幣処理機１０に様々な設定データが送られる。
【００６３】
運用モードには、貨幣処理機１０が上位装置等に通信接続された状態のオンラインモードと、貨幣処理機１０と外部との通信接続が遮断された状態のオフラインモードの２つの状態がある。オンラインモードには開店モードと閉店モードの２つのモードがあり、開店モードにおいて、操作者は後述する引渡処理等を行うことができる。また、この開店モードにおいては、例えば売上金の回収業務を行う収集業者の収集特定者によって、貨幣収納部４０の各カセット４１ａ、４１ｂ、４２ａ、４２ｂ自体の回収を行うこともできる。一方、閉店モードにおいては、収集特定者による貨幣収納部４０の各カセット４１ａ、４１ｂ、４２ａ、４２ｂの回収のみしか行うことができない。なお、これらの開店モードおよび閉店モードの切り換えは、時間帯等による自動での切り替えも可能である。一方、オフラインモードにおいては、上位装置等に対する情報の伝達は行われず、納金処理等の処理結果は貨幣処理機１０内に設けられた記憶媒体（図示せず）に記憶されることとなる。上述の各モードの選択は、操作者が操作部４５により選択することができる。
【００６４】
保守メンテナンスモードの際に、保守員が貨幣処理機１０の紙幣処理装置２０や硬貨処理装置３０の各構成要素の保守メンテナンスを行う。このような保守メンテナンスは、貨幣処理機１０が設置された現場で行ってもよく、貨幣処理機１０を工場等に持ち帰ってこの工場内で行ってもよい。
【００６５】
ここで、上述した引渡処理の詳細について、図５および図６を用いて以下に説明する。なお、「引渡処理」とは、貨幣処理機１０内の金銭を店舗側から収集業者側へ引き渡す処理という意味で用いており、上述のような貨幣処理機１０では、筐体１１の外部から内部に取り込まれた貨幣が貨幣収納部４０に収納されたことにより、貨幣が引き渡されたものとしている。そして、引渡処理が行われた貨幣は、その管理権限が店舗側から収集業者側に移されるようになっている。
【００６６】
上述のような引渡処理を行うにあたり、制御部１５は、（ａ）一括搬送部２９、３７に紙幣や硬貨が送られた後、引渡確定処理の指令が制御部１５に与えられたときに一括搬送部２９、３７から貨幣収納部４０に紙幣や硬貨が引き渡されて紙幣や硬貨の管理権限が店舗側から収集業者側に変更されるような確定有りモードと、（ｂ）一括搬送部２９、３７に紙幣や硬貨が送られた後、自動的に一括搬送部２９、３７から貨幣収納部４０に紙幣や硬貨が引き渡されて貨幣の管理権限が店舗側から収集業者側に自動的に変更されるような確定無しモードのうちいずれか一方のモードで紙幣や硬貨の処理を行うようになっている。
【００６７】
まず、確定有りモードにおける紙幣の引渡処理および硬貨の引渡処理について順に説明する。
【００６８】
最初に、紙幣の引渡処理について図５Ａ乃至図５Ｄを用いて以下に説明する。紙幣の引渡処理が行われる際に、操作者が紙幣処理装置２０の紙幣投入口２１に紙幣の束を投入したときには、紙幣投入口２１に投入された紙幣は１枚ずつ搬送部２５により搬送され、識別部２６において紙幣の識別が行われる。図５Ａに示すように、識別部２６により正常な紙幣であると識別された場合には、この紙幣は搬送部２５により一括搬送部２９に送られる。一方、図５Ａに示すように、識別部２６により偽札等のリジェクト紙幣であると識別された紙幣は、搬送部２５により紙幣リジェクト口２２に送られる。図５Ａに示すような紙幣の処理が行われる際に、識別部２６により紙幣の計数が行われる。
【００６９】
上述のような紙幣の処理が行われた後、操作者が操作部４５における「取消キー」を押し、引渡取消処理の指令を制御部１５に送ったときには、図５Ｂに示すように、紙幣返却口２３に設けられた扉２４が開くことにより、操作者は一括搬送部２９から紙幣を取り出すことができるようになる。
【００７０】
一方、上述のような紙幣の処理が行われた後、操作者が操作部４５における「確定キー」を押し、引渡確定処理の指令を制御部１５に送ったときには、図５Ｃに示すように、一括搬送部２９に保留された紙幣は、貨幣収納部４０の紙幣収納カセット４１ａに送られる。なお、貨幣収納部４０の紙幣収納カセット４１ｂに紙幣を収納する場合には、引渡確定処理の指令を制御部１５に送ったときに、図５Ｄに示すように、一括搬送部２９が紙幣収納カセット４１ｂの上方の位置に移動し、この一括搬送部２９に保留された紙幣が、貨幣収納部４０の紙幣収納カセット４１ｂに送られることとなる。
【００７１】
次に、硬貨の引渡処理について図６Ａ乃至図６Ｅを用いて以下に説明する。硬貨の引渡処理が行われる際に、操作者が硬貨処理装置３０の硬貨投入口３１に硬貨を投入したときには、硬貨投入口３１に投入された硬貨はまず貯留繰出部３４に送られ、この貯留繰出部３４から硬貨が１枚ずつ搬送部３５に繰り出される。この際に、一括搬送部３７は第１の収納位置ａに位置しており、底板３７ａは第１の位置ｍに位置している。搬送部３５に繰り出された硬貨は識別部３５ａにおいて識別が行われる。図６Ａに示すように、識別部３５ａにより正常な硬貨であると識別された場合は、この硬貨は分岐部材３５ｂにより搬送部３５の搬送通路から分岐され、シュート３５ｃを介して一括搬送部３７に送られ、当該一括搬送部３７で一時的に保留される。一方、図６Ａに示すように、識別部３５ａにより識別不能な硬貨等のリジェクト硬貨であると識別された硬貨は、搬送部３５の搬送通路から分岐させられることなく、そのまま硬貨返却ボックス３３ａに送られる。また、図６Ａに示すような硬貨の処理が行われる際に、識別部３５ａにより硬貨の計数が行われる。
【００７２】
上述のような硬貨の処理が行われた後、操作者が操作部４５における「取消キー」を押し、引渡取消処理の指令を制御部１５に送ったときには、図６Ｂに示すように、駆動機構３７ｂによって一括搬送部３７が第１の収納位置ａから返却位置ｃに移動させられることにより、一括搬送部３７に一時的に保留された硬貨が硬貨返却ボックス３３ａに落下する。操作者は、硬貨返却口３３から硬貨返却ボックス３３ａを引き出すことにより、硬貨返却ボックス３３ａ内の硬貨を取り出すことができる。
【００７３】
一方、上述のような硬貨の処理が行われた後、操作者が操作部４５における「確定キー」を押し、引渡確定処理の指令を制御部１５に送ったときには、図６Ｃに示すように、駆動機構３７ｆによって底板３７ａが第１の位置ｍから第２の位置ｎに移動させられることにより、一括搬送部３７の底部が開口状態となるので、一括搬送部３７に一時的に保留された硬貨が貨幣収納部４０の硬貨収納カセット４２ａに落下し、この硬貨収納カセット４２ａ内に収納される。
【００７４】
なお、貨幣収納部４０の硬貨収納カセット４２ｂに紙幣を硬貨する場合には、引渡確定処理の指令を制御部１５に送ったときに、図６Ｅに示すように、駆動機構３７ｂによって一括搬送部３７が第１の収納位置ａから第２の収納位置ｄに移動させられることにより、一括搬送部３７の底部が開口状態となるので、一括搬送部３７に一時的に保留された硬貨が貨幣収納部４０の硬貨収納カセット４２ｂに落下し、この硬貨収納カセット４２ｂ内に収納される。
【００７５】
次に、確定無しモードにおける紙幣の引渡処理および硬貨の引渡処理について順に説明する。
【００７６】
最初に、紙幣の引渡処理について説明する。紙幣の引渡処理が行われる際に、制御部１５において確定無しモードが選択されていた場合には、紙幣投入口２１に投入された紙幣が紙幣投入口２１から無くなったり、一括搬送部２９において紙幣が満杯になったりしたときに、一括搬送部２９から貨幣収納部４０の紙幣収納カセット４１ａ、４１ｂに一括して紙幣が自動的に引き渡される。この場合、紙幣の管理権限が店舗側から収集業者側に自動的に変更される。
【００７７】
次に、硬貨の引渡処理について説明する。硬貨の引渡処理が行われる際に、制御部１５において確定無しモードが選択されていた場合には、貯留繰出部３４から硬貨が全て繰り出されることにより当該貯留繰出部３４において硬貨が無くなったり、一括搬送部３７において硬貨が満杯になったりしたときに、一括搬送部３７から貨幣収納部４０の硬貨収納カセット４２ａ、４２ｂに一括して硬貨が自動的に引き渡される。この場合、硬貨の管理権限が店舗側から収集業者側に自動的に変更される。
【００７８】
なお、硬貨の引渡処理が行われる際に、操作者が硬貨処理装置３０の硬貨投入口３１に硬貨を投入したときにおいて、図６Ａに示すように、一括搬送部３７が第１の収納位置ａに位置しているとともに底板３７ａが第１の位置ｍに位置している代わりに、図６Ｄに示すように、一括搬送部３７が第１の収納位置ａに位置しているとともに底板３７ａが第２の位置ｎに位置しているようになっていてもよい。この場合、識別部３５ａにより正常な硬貨であると識別された硬貨は分岐部材３５ｂにより搬送部３５の搬送通路から分岐され、シュート３５ｃを介して一括搬送部３７に送られるが、この硬貨は一括搬送部３７で一時的に保留されることなく、硬貨収納カセット４２ａにダイレクトに収納することができる。このため、硬貨の引渡処理をより迅速に行うことができるようになる。（この場合、上述の「確定キー」「取消キー」は無効となり、収納された硬貨については自動的に引渡処理が確定する。）
【００７９】
ここで、制御部１５において、上述のような確定有りモードと確定無しモードの切り換えを行うことができるようになっている。より具体的には、操作者は、操作部４５により、確定有りモードおよび確定無しモードのうちいずれか一方のモードを選択することができるようになっている。そして、制御部１５は、操作部４５により選択されたモードで紙幣や硬貨の処理を行うこととなる。また、操作部４５とは別に設けられた図示しない操作部によりモードを選択するようにもできる。これは例えば設置やメンテナンスの担当者が操作する操作部であり、通常の運用時には操作しない操作部である。
【００８０】
更に詳細に説明すると、制御部１５において、確定有り継続モード、確定無し継続モードおよび都度選択モードの３つのモードが設けられている。そして、確定有り継続モードが選択されているときには、基本的には貨幣の処理は確定有りモードで行われ、操作者が操作部４５により確定有りモードから確定無しモードに切り換えを行わない限り、確定有りモードが継続されることとなる。一方、確定無し継続モードが選択されているときには、基本的には貨幣の処理は確定無しモードで行われ、操作者が操作部４５により確定無しモードから確定有りモードに切り換えを行わない限り、確定無しモードが継続されることとなる。また、都度選択モードが選択されているときには、操作者は、操作部４５により、毎回の取引において確定有りモードおよび確定無しモードのうちいずれか一方のモードの選択を都度行うこととなる。
【００８１】
また、制御部１５は、カードリーダ４６により読み取られた、操作者が携帯するＩＤカードのＩＤ情報に基づいて、確定有りモードおよび確定無しモードのうちいずれか一方のモードの選択を行うようになっていてもよい。具体的には、例えば、貨幣処理機１０の取り扱いに慣れない者が貨幣処理機１０で貨幣の処理を行う場合は、一括搬送部２９、３７に送られた紙幣や硬貨について貨幣収納部４０への引き渡しを行わせるかあるいは返却するかの確認を毎回行わせるために、制御部１５は確定有りモードを選択するようにする。一方、貨幣処理機１０の取り扱いに慣れた者が貨幣処理機１０で貨幣の処理を行う場合は、制御部１５は確定無しモードを選択するようになっている。
【００８２】
以上のように本実施の形態の貨幣処理機１０によれば、（ａ）一括搬送部２９、３７に紙幣や硬貨が送られた後、引渡確定処理の指令が制御部１５に与えられたときに一括搬送部２９、３７から貨幣収納部４０に紙幣や硬貨が引き渡されて紙幣や硬貨の管理権限が店舗側（第１の管理権限）から収集業者側（第２の管理権限）に変更されるような確定有りモードと、（ｂ）一括搬送部２９、３７に紙幣や硬貨が送られた後、自動的に一括搬送部２９、３７から貨幣収納部４０に紙幣や硬貨が引き渡されて紙幣や硬貨の管理権限が店舗側から収集業者側に自動的に変更されるような確定無しモードのうちいずれか一方のモードで紙幣や硬貨の処理を行うようになっている。このように、引渡確定処理の指令が制御部１５に与えられたときに紙幣や硬貨の管理権限が店舗側から収集業者側に変更されるような確定有りモードと、一括搬送部２９、３７に紙幣や硬貨が送られた後、紙幣や硬貨の管理権限が店舗側から収集業者側に自動的に変更されるような確定無しモードのうちいずれか一方のモードを選択することができるようになっているので、紙幣や硬貨の管理権限を店舗側から収集業者側に移すにあたり、確定入力を必要と考える人にも、確定入力が不要であると考える人にも、どちらにも対応することができる。
【００８３】
また、上述のように、制御部１５は、確定無しモードにおいて、紙幣投入口２１や硬貨投入口３１に投入された紙幣や硬貨が全て一括搬送部２９、３７に送られたとき、あるいは一括搬送部２９、３７における紙幣や硬貨の量が所定の量（例えば、一括搬送部２９、３７が紙幣や硬貨で満杯となるような量）に達したときに、一括搬送部２９、３７から貨幣収納部４０に紙幣や硬貨を自動的に引き渡して紙幣や硬貨の管理権限を店舗側から収集業者側に自動的に変更するようになっている。
【００８４】
なお、本実施の形態による貨幣処理機１０は、上記の態様に限定されるものではなく、様々の変更を加えることができる。
【００８５】
例えば、本実施の形態による貨幣処理機１０の紙幣処理装置２０や硬貨処理装置３０は、以下のような態様となっていてもよい。ここで、紙幣処理装置２０や硬貨処理装置３０の変形例として、貨幣処理装置３０を例として具体的に説明する。一括搬送部３７が第１の収納位置ａに位置しており、底板３７ａが第１の位置ｍに位置しているときに、この一括搬送部３７に硬貨が搬送され、貯留繰出部３４から硬貨が全て繰り出されることにより当該貯留繰出部３４において硬貨が無くなったり、一括搬送部３７において硬貨が満杯になったりしたときに、一括搬送部３７が第１の収納位置ａから第２の収納位置ｄに移動したり、底板３７ａが第１の位置ｍから左方に移動したりすることにより、一括搬送部３７にある硬貨が貨幣収納部４０の硬貨収納カセット４２ａ、４２ｂに送られる。一方、識別部３５ａによる硬貨の識別計数中に、搬送部３５等において硬貨のジャム（詰まり）等のトラブルが発生した場合には、一括搬送部３７を第１の収納位置ａから返却位置ｃに移動させることにより、一括搬送部３７にある硬貨を自動的に操作者に返却する。その後、搬送部３５にある硬貨を、その下流側端部から直接的に硬貨返却ボックス３３ａに送ったり、一括搬送部３７を経由して硬貨返却ボックス３３ａに送ったりすることにより、硬貨の自動的な返却が行われる。貯留繰出部３４内にある硬貨は、この貯留繰出部３４内の下部にある開閉機構が開状態となることにより排除位置ｂにある一括搬送部３７に落下放出され、このことにより自動返却する。あるいは、貯留繰出部３４内にある硬貨は、搬送部３５に繰り出されることにより、識別部３５ａで引き続き識別計数して硬貨の処理を継続してもよい。
【００８６】
上述のような貨幣処理機１０によれば、紙幣や硬貨の識別計数中に、搬送部２５、３５等において紙幣や硬貨のジャム（詰まり）等のトラブルが発生した場合でも、貨幣処理機１０内にある紙幣や硬貨が第１の管理権限下にあるか第２の管理権限下にあるかの切り分けを明確に行うことができる。このため、トラブルの発生時において搬送部２５、３５にある紙幣や硬貨が誰のものであるか（第１の管理権限または第２の管理権限のどちらに管理権限下にあるか）を容易に判断することができるようになる。
【符号の説明】
【００８７】
１０  貨幣処理機
１１  筐体
１２  コントローラ
１３  現金センター
１４  データセンター
１５  制御部
１７  コントローラ
１７ａ  プリンタ
１７ｂ  カードリーダ
１７ｃ  スキャナー
１７ｄ  パーソナルコンピュータ
２０  紙幣処理装置
２１  紙幣投入口
２２  紙幣リジェクト口
２３  紙幣返却口
２４  扉
２５  搬送部
２６  識別部
２８  紙幣返却口カバー
２９  一括搬送部
３０  硬貨処理装置
３１  硬貨投入口
３１ａ  硬貨投入口カバー
３３  硬貨返却口
３３ａ  硬貨返却ボックス
３４  貯留繰出部
３５  搬送部
３５ａ  識別部
３５ｂ  分岐部材
３５ｃ  シュート
３７  一括搬送部
３７ａ  底板
３７ｂ  一括搬送部の駆動機構
３７ｃ  一括搬送部の位置検知手段
３７ｄ  硬貨収納シュート
３７ｅ  硬貨収納シュート
３７ｆ  底板の駆動機構
３７ｇ  底板の位置検知手段
４０  貨幣収納部
４１ａ、４１ｂ  紙幣収納カセット
４１ｃ、４１ｄ  規制ユニット
４２ａ、４２ｂ  硬貨収納カセット
４２ｃ、４２ｄ  規制ユニット
４３  プリンタ
４４  表示部
４５  操作部
４６  カードリーダ
【図１Ａ】
2010224609.tif 000003
【図１Ｂ】
2010224609.tif 000004
【図２】
2010224609.tif 000005
【図３Ａ】
2010224609.tif 000006
【図３Ｂ】
2010224609.tif 000007
【図４】
2010224609.tif 000008
【図５Ａ】
2010224609.tif 000009
【図５Ｂ】
2010224609.tif 000010
【図５Ｃ】
2010224609.tif 000011
【図５Ｄ】
2010224609.tif 000012
【図６Ａ】
2010224609.tif 000013
【図６Ｂ】
2010224609.tif 000014
【図６Ｃ】
2010224609.tif 000015
【図６Ｄ】
2010224609.tif 000016
【図６Ｅ】
2010224609.tif 000017